(57)【特許請求の範囲】
【請求項１】
電池を有するムーブメントと、
駆動される部材を、前記ムーブメントの内側に向けて押さえ、前記ムーブメントの内側に対向する面に、回路の配線が形成されている押さえ部材と、を備え、
前記ムーブメントは、電子時計の指示部材の位置を光学的に検出する対象となる輪列を有し、
前記押さえ部材に、前記配線に接続され、前記指示部材の位置を検出する光学素子が実装され、
前記光学素子は、前記輪列と軸方向に重なる配置で実装され、
前記ムーブメントは、巻き真の回転方向を検出して、検出された前記回転方向に基づいて電子時計の指示部材を電磁的に駆動して前記指示部材の指示位置を修正する電磁修正システムと、前記押さえ部材の配線と前記押さえ部材と対向して配置された回路基板の配線とを電気的に導通させる導通部材と、を備え、
前記導通部材は、前記巻き真の前記ムーブメントの内部側の先端から電子時計の中心までの間の空間に配置されている電子時計。
【請求項２】
前記配線の少なくとも一部は、電子時計の平面視において、前記電池と重なる配置で形成されている請求項１に記載の電子時計。
【請求項３】
前記ムーブメントは、外部からの信号を受信するアンテナを有し、
前記配線は、電子時計の平面視において、前記アンテナと離れた配置で形成されている請求項１又は２に記載の電子時計。
【請求項４】
前記ムーブメントは、外部からの信号を受信するアンテナを有し、
電子時計の平面視において電子時計の中心を通る直線で、前記アンテナが配置された領域と前記アンテナが配置されていない領域とに二分したとき、前記配線は、前記アンテナが配置されていない領域に形成されている請求項１から３のうちいずれか１項に記載の電子時計。
【請求項５】
前記ムーブメントは、モータ及び前記モータを外部磁界から保護する耐磁板を有し、
前記配線は、電子時計の平面視において、前記耐磁板と略離れた配置で形成されている請求項１から４のうちいずれか１項に記載の電子時計。
【発明の詳細な説明】
【技術分野】
【０００１】
本発明は、電子時計に関する。
【背景技術】
【０００２】
複数の指針等の指示部材によって時刻を表示する電子時計には、例えば信号を受信して精度の高い時刻情報を取得し、この時刻情報に基づいて指示部材を強制的に駆動することで、常に精度の高い時刻を指示部材で表示するようにした電波修正時計などがある。
ここで、指示部材を正しい位置まで駆動するためには、指示部材の現在の位置を把握している必要がある。
そこで、光センサを用いて、現在の指針位置を検出する技術が知られている（例えば、特許文献１参照）。
【先行技術文献】
【特許文献】
【０００３】
【特許文献１】特開２０１３−２５００９１号公報
【発明の概要】
【発明が解決しようとする課題】
【０００４】
ここで、特許文献１に記載の電子時計は、指針位置の検出の対象となる複数の輪列が軸方向に重なって配置されており、この複数の重なった輪列に、さらにＬＥＤチップやフォトトランジスタ等の光学素子が重ねて配置されている。
このため、軸方向の厚さすなわち電子時計の厚さが厚くなるという問題がある。
なお、時計の厚さを薄くするという要請は、上述した指針検出を行う電子時計に限定されるものではなく、電子回路の配線が形成された一般的な電子時計においても同様である。
本発明は上記事情に鑑みなされたものであって、厚さを薄くすることができる電子時計を提供することを目的とする。
【課題を解決するための手段】
【０００５】
本発明は、電池を有するムーブメントと、駆動される部材を、前記ムーブメントの内側に向けて押さえ、前記ムーブメントの内側に対向する面に、回路の配線が形成されている押さえ部材と、を備えた電子時計である。
【発明の効果】
【０００６】
本発明に係る電子時計によれば、電子時計の厚さを薄くすることができる。
【図面の簡単な説明】
【０００７】
【図１】本発明に係る電子時計の一実施形態である電波修正時計を示す平面図である。
【図２】電波修正時計の内部を文字板の側から見た斜視図であり、ムーブメント、日車（駆動される部材の一例）及び日車押さえ（押さえ部材の一例）を示す。
【図３】電波修正時計の要部断面図である。
【図４】ムーブメントの内部を、文字板とは反対側（以下、（電波修正時計の）裏蓋側という。）から見た平面図（一部については透視している）である。
【図５】ムーブメントのうちステップモータ、耐磁板、アンテナ及び二次電池と日車押さえの配線との位置関係を示す、裏蓋側から見た平面図である。
【図６】ムーブメントの内部に設けられたステップモータ、駆動輪列、検出部及び制御部を示す斜視図である。
【図７】日車押さえを示す平面図である。
【発明を実施するための形態】
【０００８】
以下、本発明に係る電子時計の実施形態について、図面を用いて説明する。
＜電波修正時計の構成＞
図１は、本発明に係る電子時計の一実施形態である電波修正時計１を示す平面図、図２は、電波修正時計１の内部を文字板２の側から見た斜視図であり、ムーブメント９０、日車７（駆動される部材の一例）及び日車押さえ８（押さえ部材の一例）を示す。
【０００９】
＜文字板、指針について＞
本実施形態の電波修正時計１は、図１に示すように、文字板２に表示されたインデックス３を、時針４（指示部材の一例）、分針５（指示部材の一例）及び秒針６（指示部材の一例）で指し示すことにより時刻を表示する。また、文字板２には日付表示用の窓２ａが開口していて、文字板２の背面側に配置された、図２に示す日車７に表示された「１」，「２」，…，「３１」の日付の文字（数字）７ａのうち１つを窓２ａから露出させて、日付を表示する。図１の例では、日付として数字７ａの「２９」を表示している。
【００１０】
＜ソーラセル、二次電池について＞
図３は、電波修正時計１の要部断面図である。電波修正時計１は、図３に示すように、文字板２と日車７との間に、ソーラセル８０が配置されていて、文字板２を透過した光を光電変換して、ムーブメント９０の内部に備えられた二次電池９２に電気エネルギとして蓄電する。二次電池９２に蓄えられた電機エネルギは、後述するステップモータ３１，４１（図４参照）や制御部７０（図６参照）を駆動するための電源となる。
【００１１】
図４は、非導電性である樹脂の地板９１に配置されたムーブメント９０の内部を、文字板２とは反対側（以下、（電波修正時計１の）裏蓋側という。）から見た平面図であり、図５は、ムーブメント９０のうちステップモータ３１，４１、耐磁板９５ａ，９６ａ、アンテナ９３及び二次電池９２と日車押さえ８の配線９ａとの位置関係を示す、裏蓋側から見た平面図である。
【００１２】
＜アンテナについて＞
電波修正時計１は、図４に示すように、ムーブメント９０の内部に、外部から送信された時刻の情報を含む信号（例えば、標準電波）を受信するアンテナ９３と、各指針（時針４、分針５、秒針６）を駆動するステップモータ３１，４１及び駆動輪列１０，２０とを備えている。さらに、電波修正時計１は、図３に示すように、ムーブメント９０の、文字板２とは反対側に、ガラス・エポキシで形成された回路基板９４を備えている。
この回路基板９４には、光を検出するフォトトランジスタ５２，６２の他、アンテナ９３で受信した電波に基づいて、各指針により正しい時刻を指し示すようにステップモータ３１，４１を制御するＩＣ等で構成された制御部７０が備えられている。また、回路基板９４に形成された配線には、二次電池９２、各ステップモータ３１，４１が導通している。
【００１３】
＜耐磁板について＞
また、電波修正時計１は、ムーブメント９０の内部で、電波修正時計１の厚さ方向における各ステップモータ３１，４１と地板９１との間に、図５に示すように各ステップモータ３１，４１を文字板２側において外部磁界から保護する耐磁板９５ａ，９６ａと、図３に示すように、ムーブメント９０の回路基板９４側において外部磁界から保護する耐磁板９５ｂ，９６ｂとを備えている。
【００１４】
＜ステップモータ、駆動輪列について＞
図６は、ムーブメント９０の内部に設けられたステップモータ３１，４１、駆動輪列１０，２０、検出部５０，６０及び制御部７０を示す斜視図である。
ムーブメント９０は、図６に示すように、各指針（時針４、分針５、秒針６）及び日回し車を駆動するステップモータ３１，４１及び駆動輪列１０，２０と、アンテナで受信した電波に基づいて、正しい時刻を指し示すようにステップモータ３１，４１を制御するＩＣ等で構成された制御部７０とを備えている。
【００１５】
ここで、第１のステップモータ３１は、第１の駆動輪列１０を駆動する。第１の駆動輪列１０は、第１時中間車１１、第２時中間車１２、第３時中間車１３及び筒車１４を備えていて、第１のステップモータ３１の駆動力を、第１時中間車１１、第２時中間車１２、第３時中間車１３、筒車１４の順に伝え、筒車１４に固定された時針４を回転させる。
第２時中間車１２には、歯車を軸方向に貫通した検出孔１２ａが１つ形成されている。第２時中間車１２は、平面視（駆動輪列１０，２０の軸方向に直交する方向に見た面）において筒車１４とは重ならない位置に配置されている。
【００１６】
筒車１４には、歯車を軸方向に貫通した検出孔１４ａが１１個形成されている。１１個の検出孔１４ａは、筒車１４の回転中心Ｃ回りに角度間隔３０［度］で周方向に並んで形成されている。１１個の検出孔１４ａの両端の２つの検出孔１４ａ，１４ａの間の角度間隔は６０［度］となっている。
なお、制御部７０は、筒車１４を軸回りに１２時間で１回転させるように第１のステップモータ３１の駆動を制御する。このとき、第２時中間車１２は軸回りに１時間で１回転する。
【００１７】
一方、第２のステップモータ４１は第２の駆動輪列２０を駆動する。第２の駆動輪列２０は、五番車２１、四番車２２、三番車２３及び二番車２４を備えていて、第２のステップモータ４１の駆動力を、五番車２１、四番車２２、三番車２３、二番車２４の順に伝え、四番車２２に固定された秒針６と二番車２４に固定された分針５とを回転させる。
四番車２２には、歯車を軸方向に貫通した検出孔２２ａが１つ形成され、三番車２３には、歯車を軸方向に貫通した検出孔２３ａが回転中心を挟んで１８０［度］の角度間隔で２つ形成され、二番車２４には、歯車を軸方向に貫通した検出孔２４ａが１つ形成されている。
【００１８】
なお、三番車２３の２つの検出孔２３ａは、他の検出孔２２ａ，２４ａよりも周方向に長い孔となっている。
また、制御部７０は、四番車２２を軸回りに１分間で１回転させ、三番車２３を軸回りに８分間で１回転させ、かつ二番車２４を軸回りに１時間で１回転させるように、第２のステップモータ４１の駆動を制御する。このとき、第２時中間車１２は軸回りに１時間で１回転する。
【００１９】
二番車２４、四番車２２、筒車１４は、図３に示すように、一致した回転中心Ｃを有し、軸方向に重なっている。この回転中心Ｃは、図１に示すように、時針４、分針５及び秒針６の各回転中心で、電波修正時計１の中心となっている。
そして、四番車２２の検出孔２２ａと、三番車２３の検出孔２３ａと、二番車２４の検出孔２４ａと、筒車１４の検出孔１４ａとは、１時間に１回、平面上での位置が一致して軸方向に重なるように、回転方向の位置が整えられている。
【００２０】
なお、筒車１４の検出孔１４ａは１１個形成されているため、筒車１４に固定される時針４が、０時（１２時）００分００秒を指示したときから１時間おきに、１０時（２２時）００分００秒を指示するときに対応して、検出孔１４ａ，２２ａ，２３ａ，２４ａが軸方向に重なるように調整されている。
ただし、これは、筒車１４を第１のステップモータ３１により１回転させたときに、筒車１４の回転位置を検出するための構造であるため、時針４が０時（１２時）００分００秒を指示したときから１時間おきに、１０時（２２時）００分００秒を指示するときまで、検出孔１４ａ，２２ａ，２３ａ，２４ａが軸方向に重なるように調整されているものに限定されない。
【００２１】
したがって、時針４が１時（１３時）００分００秒を指示したときから１時間おきに、１１時（２３時）００分００秒を指示するときまで、検出孔１４ａ，２２ａ，２３ａ，２４ａが軸方向に重なるように調整されていてもよいし、時針４が２３時（１１時）００分００秒を指示したときから１時間おきに、９時（２１時）００分００秒を指示するときまで、検出孔１４ａ，２２ａ，２３ａ，２４ａが軸方向に重なるように調整されていてもよい。
【００２２】
＜ムーブメント内の配置について＞
ムーブメント９０の内部は、図４に示すように、裏蓋側からの平面視で、文字板２の３時に方向に巻き真９７ａが設けられている。そして、巻き真９７ａの、ムーブメント９０の内部側の先端側に、巻き真９７ａの回転方向を検出する検出スイッチ９７ｂが設けられている。検出スイッチ９７ｂは回路基板９４に導通していて、検出スイッチ９７ｂで検出された巻き真９７ａの回転方向に応じた回転方向に指針を回転させるように、制御部７０がステップモータ３１，４１の駆動を制御する。
このように、巻き真９７ａの回転方向を検出して、検出された回転方向に基づいて指針をモータで電磁的に駆動して指針の指示位置を修正するシステムを、本実施形態において電磁修正システムと称する。
【００２３】
つまり、この電波修正時計１は、巻き真９７ａに入力された回転操作を指針まで機械的に伝達する、指針の位置修正用の輪列機構を備えていない。この結果、電磁修正システムを備えた電波修正時計１は、巻き真９７ａの、ムーブメント９０の内部側の先端から、電波修正時計１の回転中心Ｃまでの間に、指針の位置修正用の輪列機構が配置されていないことによる空間が存在する。
一方、巻き真９７ａの、ムーブメントの９０の内部側の先端の周辺には、金属で形成された裏回り機構９７ｃが配置されている。
また、裏回り機構９７ｃに、電波修正時計１の周方向に隣接した１１時辺りの位置に、二次電池９２が配置されている。
【００２４】
そして、これら、裏回り機構９７ｃ及び二次電池９２に対して、電波修正時計１の中心となる回転中心Ｃを挟んで対角となる位置である７時半辺りの位置に、アンテナ９３が配置されている。アンテナ９３の受信性能は、金属部品が近接することで低下するため、アンテナ９３は、ムーブメント９０の中で代表的な金属部品である裏回り機構９７ｃ及び二次電池９２から遠く離れた位置に配置されている。
【００２５】
また、電波修正時計１の回転中心Ｃであるムーブメント９０の中心部分には、各指針を駆動する第１の駆動輪列１０及び第２の駆動輪列２０が配置されている。そして、第１の駆動輪列１０を駆動する第１のステップモータ３１は、第１の駆動輪列１０の外側で、二次電池９２に隣接する１１時の辺りの位置に配置されている。一方、第２の駆動輪列２０を駆動する第２のステップモータ４１は、第２の駆動輪列２０の外側で、裏回り機構９７ｃに隣接する５時の辺りの位置に配置されている。
【００２６】
＜日車、日車押さえについて＞
日車７は、図２に示すように円環状に形成されていて、「１」から「３１」までの日付の数字７ａが、周方向に沿って並んで表示されている。なお、図２においては、「１」から「３１」までの３１個の数字７ａの内、一部の数字７ａのみ表示し、他の残りの数字７ａの表示を省略している。日車７は時針４と連動し、日回し車（図示省略）によって周方向に回転駆動される。日回し車は、ムーブメント９０の内部に備えられた図３に示す第１の駆動輪列１０により駆動される。
【００２７】
図７は、日車押さえ８を示す平面図である。
日車７の内周側の縁部は、図７に示すように、円板状に形成され、ムーブメント９０の地板９１に固定された日車押さえ８（押さえ部材の一例）によって、文字板２の側に脱落するのを押さえられている。すなわち、日車押さえ８は、日車７をムーブメント９０の内側に向けて押さえている。
【００２８】
日車押さえ８は、樹脂で形成されていて、いわゆるＭＩＤ（Molded Interconnect Device）である。ＭＩＤは、金型を用いて樹脂やセラミックスを形作った成形品表面にめっきや金属膜で回路を形成したモールド部品である。
本実施形態におけるＭＩＤである日車押さえ８は、ムーブメント９０内側に向いた面８ａに、銅めっきの電子回路の配線９ａが形成されているとともに、この配線９ａに導通するＬＥＤチップ５１，６１が実装されている。なお、配線９ａは銅めっきに限定されない。
【００２９】
平面視においてＬＥＤチップ５１が実装されている位置は、第２時中間車１２の検出孔１２ａが１回転する間（１時間に対応）に１回重なる位置である。ＬＥＤチップ５１と検出孔１２ａとが重なる位置では、裏蓋側に配置された回路基板９４（図３参照）に実装されたフォトトランジスタ５２も平面視で重なるように、図６に示すように配置されているとともに、地板９１にも、軸方向に貫通した孔（図示省略）が形成されている。
【００３０】
そして、ＬＥＤチップ５１とフォトトランジスタ５２との間に配置された第２時中間車１２が１回転する間に１回だけ、ＬＥＤチップ５１が発光した光が、検出孔１２ａ及び地板９１の孔を通ってフォトトランジスタ５２に検出されることにより、第２時中間車１２の回転位置を検出することができる。
なお、ＬＥＤチップ５１とフォトトランジスタ５２とにより、第１の駆動輪列１０の回転位置、すなわち時針４の回転位置を光学的に検出する第１検出部５０を構成している。
【００３１】
また、平面視においてＬＥＤチップ６１が実装されている位置は、二番車２４が１回転する間（１時間に対応）に検出孔１４ａ，２２ａ，２３ａ，２４ａが１回重なる位置である。ＬＥＤチップ６１と検出孔１４ａ，２２ａ，２３ａ，２４ａとが重なる位置では、裏蓋側に配置された回路基板９４に実装されたフォトトランジスタ６２も平面視で重なるように、図３，６に示すように配置されているとともに、地板９１にも、図３に示すように、軸方向に貫通した孔９１ａが形成されている。
【００３２】
そして、ＬＥＤチップ６１とフォトトランジスタ６２との間に配置された筒車１４、二番車２４、三番車２３、四番車２２の検出孔１４ａ，２２ａ，２３ａ，２４ａ及び地板９１の孔９１ａが１時間に１回だけ軸方向に重なって、ＬＥＤチップ６１が発光した光が、検出孔１４ａ，２２ａ，２３ａ，２４ａ及び孔９１ａを通ってフォトトランジスタ６２に検出されることにより、第２の駆動輪列２０の回転位置を検出することができる。
【００３３】
なお、ＬＥＤチップ６１とフォトトランジスタ６２とは、第２の駆動輪列２０の回転位置、すなわち分針５及び秒針６の回転位置を光学的に検出する第２検出部６０を構成している。
制御部７０は、アンテナ９３で受信した電波に基づいて、フォトトランジスタ５２，６２で検出された指針の位置が正しい時刻を指し示すように、ステップモータ３１，４１を制御する。
【００３４】
＜配線について＞
日車押さえ８に形成されている配線９ａは、図５，７に示した３つの端子部３ｂにおいて、図３に示すように、日車押さえ８と対向した、裏蓋側の回路基板９４に形成された配線とそれぞれ金属製の接続ばね９８（導通部材の一例）によって電気的に接続されている。これにより、回路基板９４の側に導通した二次電池９２の電力が制御部７０の制御により、接続ばね９８及び日車押さえ８の配線９ａを通じて、各ＬＥＤチップ５１，６１に供給され、各ＬＥＤチップ５１，６１を発光させることができる。
日車押さえ８の配線９ａと回路基板９４に形成された配線とを導通させる部材としては、上述した接続ばね９８に限定されず、導線であってもよいし、単なる剛体の導電性部材であってもよい。
【００３５】
ただし、導通部材として接続ばね９８を適用したものでは、接続ばね９８が日車押さえ８と回路基板９４との間に配置された状態で、接続ばね９８と日車押さえ８の配線９ａ及び回路基板９４の配線とが、接続ばね９８の弾性力により強く接する。したがって、導線や剛体の導電性部材を導通部材として用いた場合のように、導通部材の両端をそれぞれ、日車押さえ８の配線９ａ、回路基板９４の配線に予め接合しておく必要がない。
したがって、導通部材として接続ばね９８を適用したものは、ムーブメント９０を組み立てる工程での組み立て作業性を向上させることができる。
【００３６】
なお、接続ばね９８は、その自然長（軸方向に圧縮荷重が作用していない状態での接続ばね９８の長さ）を、日車押さえ８の配線９ａと回路基板９４の配線との間隔よりも長く、かつ接続ばね９８が圧縮荷重により最も縮められた状態での接続ばね９８の長さを、日車押さえ８の配線９ａと回路基板９４の配線との間隔よりも短く設定しておくことを要する。
【００３７】
なお、３つの接続ばね９８は、図５に示すように、２つのＬＥＤチップ５１，６１に各別に導通する２つの配線９ａ，９ａと、２つのＬＥＤチップ５１，６１に共通して導通する１つの配線９ａとの合計３つの配線９ａにそれぞれ対応している。
また、３つの接続ばね９８は、図４に示すように、巻き真９７ａの、ムーブメント９０の内部側の先端から、電波修正時計１の回転中心Ｃまでの間に形成された、指針の位置修正用の輪列機構が配置されていないことによる空間に配置されている。
【００３８】
また、配線９ａは、図５に示すように、その一部が、電波修正時計１の平面視において、二次電池９２と重なる配置で形成されている。ただし、二次電池９２は地板９１上に配置されているため、配線９ａが二次電池と接触することはなく、配線９ａは、二次電池９２が配置された地板９１の部分と接触する程度である。
また、配線９ａは、図５に示すように、電波修正時計１の平面視において、アンテナ９３と重ならない離れた配置で形成されている。
【００３９】
より具体的には、図５に示すように、電波修正時計１の回転中心Ｃを通る直線（破線）で、アンテナ９３が配置された領域（Ｉ）とアンテナ９３が配置されていない領域（ＩＩ）とに半々に二分したとき、配線９ａは、アンテナ９３が配置されていない領域（ＩＩ）に形成されている。
【００４０】
また、配線９ａは、図５に示すように、電波修正時計１の平面視において、耐磁板９５ａと僅かに重なるが、その大部分が耐磁板９５ａ，９６ａとほとんど重ならずに略離れた配置で形成されている。
制御部７０は、アンテナ９３で受信した電波に基づいて、フォトトランジスタ５２，６２で検出された指針の位置が正しい時刻を指し示すように、ステップモータ３１，４１を制御する。
【００４１】
＜電波修正時計の作用、効果＞
以上のように構成された電波修正時計１によれば、日車押さえ８とムーブメント９０との間に、配線９ａが形成された回路基板（ガラス・エポキシ基板やフレキシブル基板）をさらに配置する必要がない。したがって、電波修正時計１は、日車押さえ８とムーブメント９０との間に配線９ａが形成された回路基板（ガラス・エポキシ基板やフレキシブル基板）を配置した電波修正時計よりも、厚さを薄くすることができる。
【００４２】
なお、本実施形態の電波修正時計１は、駆動される部材の一例として日車７を適用したものであるが、駆動される部材としては、例えば円環状、扇状又は円弧状に形成された月日や曜日を表示する日車などの表示部材や、時針４、分針５、秒針６などの指針を駆動する輪列部材や、てんぷ、アンクルなどの調速機構、脱進機構などを適用することもできる。
【００４３】
ここで、表示部材は、例えば、回転や揺動（往復振動やフライバック動作など）として駆動されるものであってもよい。
そして、本発明における押さえ部材としては、例えば、日車押さえの他、表示部材を押さえる表示部押さえや、輪列部材を押さえる輪列受けや、てんぷ受け、アンクル受けなどを適用することができる。
なお、押さえ部材は、ムーブメントの一部を構成するものであってもよい。
押さえ部材は、回路用の配線が形成されるため、非導電性の特性を有するものである。
【００４４】
また、本実施形態の電波修正時計１は、図３に示すように、二次電池９２が、樹脂製の地板９１に配置されている。ここで、二次電池９２は、ムーブメント９０の構成部品の中でも特に厚さが厚く、電波修正時計１の厚さが厚くなるのを避けるために、電波修正時計１の平面視において二次電池９２に重なって配置される他の導電性の部品はない。
一方、日車押さえ８に形成された配線９ａは、地板９１（図３参照）を挟んで二次電池９２と平面視で重なって配置されている（図５において、二次電池９２と重なって破線で示した配線９ａ）ことで、二次電池９２と平面視で重なる空間を有効に利用することができる。しかも、レジストの無いＭＩＤの配線９ａは、樹脂製の地板９１に接触しても、電気的な短絡が発生することがない。
【００４５】
さらに、電波修正時計１は、導電性の二次電池９２は、アンテナ９３の受信性能の低下を防止するために、図４に示すように、アンテナ９３とは平面視で重ならずに離れた遠い位置に配置されている。具体的には、図５に示すように、配線９ａが、電波修正時計１の中心（回転中心Ｃ）を通る直線でアンテナ９３が配置されている側の領域（Ｉ）とアンテナ９３が配置されていない側の領域（ＩＩ）とに二分したとき、全ての配線９ａがアンテナ９３が配置されていない側の領域（ＩＩ）に形成されている。
【００４６】
そして、配線９ａは、平面視で二次電池９２に重なる配置で形成されていることにより、配線９ａを自動的にアンテナ９３から離れた遠い位置に配置することができ、金属製の配線９ａがアンテナ９３の受信性能を低下させるのを防ぐこともできる。
しかも、配線９ａの全てが、アンテナ９３が配置されていない側の領域（ＩＩ）に配置されていることで、アンテナ９３との間隔を十分に確保することができ、アンテナ９３の受信性能の低下を、十分に防ぐことができる。
【００４７】
なお、仮に、配線９ａが、アンテナ９３と電波修正時計１の文字板２との間において平面視で重なる配置で形成されているとすると、配線９ａが、アンテナ９３が受信しようとする電波（信号）に対して遮蔽物となるが、配線９ａが平面視でアンテナ９３から離れた配置で形成されていることにより、配線９ａが遮蔽物となるのを防止することもできる。
【００４８】
なお、電波修正時計１は、図５に示すように、配線９ａが、電波修正時計の平面視において回転中心Ｃを通る直線（一点鎖線で示す）でアンテナ９３が配置された領域（Ｉ）とアンテナ９３が配置されていない領域（ＩＩ）とに二分したとき、配線９ａをアンテナ９３が配置されていない領域（ＩＩ）に形成することで、配線９ａをアンテナ９３から遠い位置に配置することができ、金属製の配線９ａがアンテナ９３の受信性能を低下させるのを防ぐことができる。
本実施形態の電波修正時計１は、アンテナ９３に、アンテナ９３の受信性能を向上させるためにアンテナ９３の長さを延長する補助板を備えていないが、そのような補助板を備えたものでは、補助板を含めて、本発明の電子時計におけるアンテナとする。
【００４９】
また、電波修正時計１は、図３に示すように、軸方向に重なる二番車２４、三番車２３、四番車２２及び筒車１４の各検出孔２４ａ，２３ａ，２２ａ，１４ａが一直線上に並んだことを第２検出部６０で検出することにより、指針（分針５、秒針６）の位置を検出する。また、第２時中間車１２の検出孔１２ａを第１検出部５０で検出することにより、指針（時針４）の位置を検出する。
したがって、第２検出部６０に関しては、ＬＥＤチップ６１とフォトトランジスタ６２とは、図３に示すように、二番車２４、三番車２３、四番車２２及び筒車１４の重なりの外側にそれぞれ配置される。
【００５０】
このため、ＬＥＤチップ６１、筒車１４、二番車２４、三番車２３、四番車２２及びフォトトランジスタ６２が一直線上に重なる部分は、厚さが厚くなる。しかし、ＬＥＤチップ６１は、日車押さえ８とは別のガラス・エポキシ基板に実装されているのではなく、既存の日車押さえ８に実装されている。したがって、ＬＥＤチップ６１を実装するための、上記別のガラス・エポキシ基板を上記重なる部分に備える必要がないため、そのガラス・エポキシ基板を配置しない分の厚さだけ電波修正時計１の厚さを薄くすることができる。
【００５１】
また、電波修正時計１は、巻き真９７ａの回転方向を検出して、検出された回転方向に基づいて指針を電磁的に駆動して修正する電磁修正システムを備え、指針の位置修正用の輪列機構を備えていないため、巻き真９７ａの、ムーブメント９０の内部側の先端から、電波修正時計１の回転中心Ｃまでの間に空間が存在している。
そして、ムーブメント９０の文字板２の側に配置された日車押さえ８の配線９ａと、ムーブメント９０の裏蓋側に配置された回路基板９４に形成された配線とを導通させる３つの接続ばね９８を、電磁修正システムを採用した構成によって得られた、巻き真９７ａの先端から回転中心Ｃまでの間の空間に、配置することができる。
【００５２】
また、電波修正時計１は、図５に示すように、日車押さえ８に形成された配線９ａが、平面視において耐磁板９５ａ，９６ｂと略離れた配置で形成されているため、金属製の配線９ａが耐磁板９５ａ，９６ａと電気的な短絡が生じるのを略防ぐことができる。
なお、図５に示した例では、平面視において配線９ａのごく一部は耐磁板９５ａと重なって配置されている（図５において、耐磁板９５ａと重なって破線で示した配線９ａ）が、配線９ａの全部が耐磁板９５ａ，９６ａから完全に離れた配置で形成されていることが、短絡を完全に防ぐ観点から好ましい。
【００５３】
＜構成の変形例＞
本実施形態の電波修正時計１は、日車押さえ８に、配線９ａとともにＬＥＤチップ５１，６１が実装されたものであるが、本発明に係る電子時計は、押さえ部材に配線だけが形成されているものであってもよいし、ＬＥＤチップ５１以外の他の光学素子（例えば、フォトトランジスタなど）が実装されているものであってもよいし、光学素子に限らず他の電子回路用の素子が実装されているものであってもよい。
【００５４】
上述した実施形態は電波修正時計１であるが、本発明に係る電子時計は電波修正時計に限定されるものでは無い。すなわち、本発明に係る電子時計は、指針等の指示部材の位置を検出する全ての電子時計に適用され、例えば、ＧＰＳによる信号に基づいて指針の指示を修正する電子時計や、時刻の自動修正機能の有無を問わずその他の電子時計にも適用され得る。
【符号の説明】
【００５５】
１      電波修正時計（電子時計の一例）
７      日車（駆動される部材の一例）
８      日車押さえ（押さえ部材の一例）
８ａ    ムーブメントの内側に向いた面
９ａ    配線
５１，６１    ＬＥＤチップ（光学素子の一例）
９０    ムーブメント
９２    二次電池
Ｃ      回転中心
【図１】
0006644515.tif 000002
【図２】
0006644515.tif 000003
【図３】
0006644515.tif 000004
【図４】
0006644515.tif 000005
【図５】
0006644515.tif 000006
【図６】
0006644515.tif 000007
【図７】
0006644515.tif 000008